(57)【要約】【課題】  振動型モータから発生する摩耗粉が距離表示部材へ付着を抑制することを可能にしたレンズ鏡筒を提供すること。【解決手段】  レンズの距離情報を示す距離情報表示部材１０７と、距離表示部材１０７を外側からのぞける透明な目盛窓１０５と、距離表示部材１０７を定位置回転可能に保持する固定筒１０３と、振動波モータ１２０の回転を距離表示部材に伝達する回転伝達部１０７b(１２０４a)を有し、距離表示部材１０７の距離表示部１０７aを距離表示部材１０７と目盛窓１０５と固定筒１０３で密閉していることを特徴とする構成とした。【選択図】  図１
2013080078.tif 000002
【特許請求の範囲】
【請求項１】
振動波モータでレンズ移動を行うレンズ鏡筒において、
レンズの距離情報を示す距離情報表示部材と、
前記距離表示部材を外側からのぞける透明な目盛窓と、
前記距離表示部材を定位置回転可能に保持する固定筒と、
前記振動波モータの回転を前記距離表示部材に伝達する回転伝達部を有し、
前記距離表示部材の距離表示部を前記距離表示部材と前記目盛窓と前記固定筒で密閉していることを特徴とするレンズ鏡筒。
【請求項２】
前記距離表示部材は円筒形状であることを特徴とする請求項1に記載のレンズ鏡筒。
【発明の詳細な説明】
【技術分野】
【０００１】
本発明は、振動型モータを備えたレンズ鏡筒に関する。
【背景技術】
【０００２】
従来、交換レンズやレンズ一体型のカメラ等の光学機器には、振動波モータや超音波モータ等とも称される振動型モータによってレンズを移動させるものがある。
【０００３】
振動型モータは、電気−機械エネルギ変換素子（圧電素子）により振動が励起される振動体（弾性体）と、該振動体に接触して回転する回転体とにより構成される。
【０００４】
回転体と連動しながら回転する距離情報表示部材への振動型モータから発生する摩耗粉の飛散を抑制するために距離情報表示部材を外径側に膨出させて窓部に距離情報表示部材を近づけたものがある（特許文献１参照）。
【先行技術文献】
【特許文献】
【０００５】
【特許文献１】特開2000-056204号公報
【発明の概要】
【発明が解決しようとする課題】
【０００６】
振動型モータでは、振動体と回転体とが加圧状態で接触しているため、振動体と回転体の接触部において摩耗が生じ、これにより摩耗紛が発生する。また近年では、デジタル一眼レフカメラを用いた動画撮影が一般的な機能となり、振動型モータを長時間使用されることで摩耗粉が出やすい環境にある。摩耗粉が大量に発生すると、特許文献１の構造では、摩耗粉が距離表示部材へ付着し、目盛窓を介してユーザーから可視される可能性がある。
【０００７】
そこで、本発明の目的は、振動型モータから発生する摩耗粉が距離表示部材へ付着を抑制することを可能にしたレンズ鏡筒を提供することである。
【課題を解決するための手段】
【０００８】
上記目的を達成するために、本発明は、振動波モータでレンズ移動を行うレンズ鏡筒において、レンズの距離情報を示す距離情報表示部材と、前記距離表示部材を外側からのぞける透明な目盛窓と、前記距離表示部材を定位置回転可能に保持する固定筒と、前記振動波モータの回転を前記距離表示部材に伝達する回転伝達部を有し、前記距離表示部材の距離表示部を前記距離表示部材と前記目盛窓と前記固定筒で密閉していることを特徴とする。
【発明の効果】
【０００９】
本発明によれば、振動型モータから発生する摩耗粉が距離表示部材へ付着を抑制することを可能にしたレンズ鏡筒を提供することができる。
【図面の簡単な説明】
【００１０】
【図１】本発明の実施例である交換レンズの断面図の一部である。
【図２】図１に示した交換レンズの外観図である。
【図３】図１に示した断面図を広範囲に示した図である。
【図４】図１に示した実施例の一部を変更した断面図である。
【発明を実施するための形態】
【００１１】
［実施例１］
以下に、本発明の好ましい実施の形態を、添付の図面に基づいて詳細に説明する。図２は、本発明の実施例１にかかわる交換レンズ１００を示す外観図である。
【００１２】
交換レンズ１００は、カメラに着脱可能に装着するためのマウント１０１を有する。マウント１０１には、カメラと交換レンズ間で通信のためのコネクタ１０２が設けられている。マウント１０１は、ベース筒１０３にネジによって取付けられている。ベース筒１０３の先端には円筒形状のフォーカス操作環１０４が配置されており、フォーカス操作環１０４はベース筒１０３に対して回転操作可能に取付けられている。ベース筒１０３の外周面には、周方向に細長に開口部１０３aが設けられている。開口部１０３aには透明の窓部材１０５が取付けられており、窓部材１０５の外側には指標部材１０６が取付けられている。ベース筒１０３の内側には、フォーカス環１０４の操作に従って回転する距離情報表示部材１０７が内蔵されている。距離情報表示部材１０７の外周面上に撮影距離を表す目盛が記されており、この目盛は透明の窓部材１０５を介して外観から可視することが出来、撮影者は現在の撮影距離を認識することができる。交換レンズ１００は焦点を自動調節するオートフォーカス機構を備え、ベース筒１０３にはフォーカスモード切換スイッチ、防振オンオフスイッチ等が配設されたスイッチユニット１０８が取付けられている。
【００１３】
図３は交換レンズ１００の光軸方向に沿った断面図の一部を示しており、図３を元に交換レンズ１００の焦点調節に際しての動作について説明する。以下の説明において、光軸回りで回転することを単に「回転する」といい、光軸方向に移動することを「直進する」という。
【００１４】
ベース筒１０３は、案内筒１０９にネジによって固定されている。案内筒１０９は、焦点調節に際して不動の固定筒に相当する。
【００１５】
案内筒１０９の内側にはカム筒（回転筒）１１０が配置されており、カム筒１１０の内側にはフォーカス回転筒１１１が配置されている。フォーカス回転筒１１１は焦点調節のためのレンズ群１１２、１１３をそれぞれ保持したレンズ鏡筒１１４、１１５とカムフォロア１１６、１１７を介して係合している。さらに、カムフォロア１１６はレンズ鏡筒１１４を保持するレンズ鏡筒保持部材１１８のカム溝と係合しており、カムフォロア１１７はカム筒１１０のカム溝と係合している。
【００１６】
フォーカス回転筒１１１にはフォーカスコロ１１９がネジにより取付けられている。フォーカスコロ１１９には、フォーカス駆動ユニット（フォーカス駆動機構）１２０のフォーカスキー１２０１が光軸回り方向において係合する。
【００１７】
案内筒１０９の外側にフォーカス駆動ユニット１２０は配置されている。フォーカス駆動ユニット１２０内のフォーカスベース筒１２０２はベース筒１０３にネジにより取付けられており、フォーカスベース筒１２０２には外装環１２１がネジにより取付けられている。
【００１８】
外装環１２１の外側にはフォーカス操作環１０４が配置されており、フォーカス操作環１０４の内周に設けられた溝部１０４aには外装環１２１の外周にネジにより取付けられた不図示のカムフォロアが係合している。このため、フォーカス操作環１０４は外装環１２１の外側で光軸方向の定位置にて光軸回りで回転可能である。
【００１９】
フォーカス操作環１０４は、フォーカス駆動ユニット１２０内の定位置回転リング１２０３と結合している。このため、フォーカス操作環１０４の回転力をフォーカス駆動ユニット１２０に伝達することができる。
【００２０】
フォーカス操作環１０４が操作されたときの動作について説明する。
【００２１】
フォーカス操作環１０４が回転操作されると、その回転力はフォーカス駆動ユニット１２０のコロリング１２０４及びフォーカスキー１２０１を介してフォーカス回転筒１１９を回転させる。このとき、カム筒１１０は回転しない。
【００２２】
フォーカス回転筒１１１が回転すると、カム筒１１０のカム溝とフォーカス回転筒１１１に係合したカムフォロア１１７を有するレンズ鏡筒１１５が回転しながら直進する。また、同時にレンズ鏡筒保持部材１１８のカム溝とフォーカス回転筒１１１に係合したカムフォロア１１６を有するレンズ鏡筒１１４が回転しながら直進する。
【００２３】
このように、フォーカス操作環１０４が回転操作されることでレンズ鏡筒１１４、１１５が回転しながら直進し、交換レンズ１００の焦点調節が可能となる。
【００２４】
次に、カメラからのオートフォーカス信号に応じてフォーカス駆動ユニット１２０が動作するときのオートフォーカス動作について説明する。
【００２５】
フォーカス駆動ユニット１２０は、振動型モータを備えており、電気−機械エネルギ変換素子により振動が励起される振動体１２０５と、振動体に接触して回転する回転体１２０６とにより構成される。
【００２６】
交換レンズ１００の制御基板は、カメラからのオートフォーカス信号を受けると、振動型モータを駆動する。
【００２７】
振動型モータの回転力は、コロリング１２０４を介してフォーカスキー１２０１を回転させ、フォーカスキー１２０１を介してフォーカス回転筒１１１を回転させる。このとき、カム筒１１０は回転しない。
【００２８】
フォーカス回転筒１１１が回転すると、カム筒１１０のカム溝とフォーカス回転筒１１１に係合したカムフォロア１１７を有するレンズ鏡筒１１５が回転しながら直進する。また、同時にレンズ鏡筒保持部材１１８のカム溝とフォーカス回転筒１１１に係合したカムフォロア１１６を有するレンズ鏡筒１１４が回転しながら直進する。
【００２９】
このように、フォーカス駆動ユニット１２０が動作することでレンズ鏡筒１１４、１１５が回転しながら直進し、交換レンズ１００の焦点調節が可能となる。
【００３０】
以下、図１を参照して、本発明の第１の実施例による、レンズ鏡筒の構成について説明する。図１は、図３に示した断面図の一部を拡大した図である。
【００３１】
透明な窓部材１０５は固定筒１０３の開口部１０３aに対し、粘着剤により隙間なく取付けられている。
【００３２】
距離情報表示部材１０７の距離情報表示部１０７aには前述した撮影距離を表す目盛が印刷されている。
【００３３】
距離情報表示部材１０７はコロリング１２０４と回転伝達部１０７b(１２０４a)で光軸回り方向において係合している。また、固定筒１０３と嵌合部１０３b(１０７c)で全周にわたり径嵌合し、バヨネット結合部１０３c(１０７d)でバヨネット結合し、かつ全周にわたり平面で当接している。したがって、距離情報表示部材１０７は固定筒１０３に対し定位置回転可能に保持され、かつコロリング１２０４が回転すると一体的に回転する。
【００３４】
距離情報表示部材１０７の光軸方向の位置はバヨネット結合部１０３c(１０７d)で決まり、径方向は嵌合部１０３b(１０７c)により決まっている。両方ともわずかな隙間があるが、潤滑剤を塗布することで、そのわずかな隙間はほとんどなくなる。
【００３５】
したがって、距離情報表示部１０７aは固定筒１０３、目盛窓１０５、および距離情報表示１０７で密閉されることになる。その結果、オートフォーカス動作時に振動体１２０５と回転体１２０６から発生する摩耗粉が距離情報表示部１０７aに付着する事を抑制することができる。
【００３６】
［実施例２］
以下、図４を参照して、本発明の第２の実施例による、レンズ鏡筒の構成について説明する。図４は、図１に示した固定筒１０３と距離情報表示部材１０７の形状を一部変更したものである。具体的には、図１では距離情報表示部材１０７の断面形状が距離情報表示部材１０７の略コの字形状だったのに対し、図４では距離情報表示部材１０７の断面形状は略Lの字形状である。その他においては、図１、図２、および図３に示したレンズ鏡筒１００と共通の構造を有する。そこで、図１、図２、および図３と共通の要素には同じ参照番号を付して重複する説明を省く。
【００３７】
図３と同様に距離情報表示部１０７aは固定筒１０３、目盛窓１０５、および距離情報表示１０７で密閉されている。その結果、オートフォーカス動作時に振動体１２０５と回転体１２０６から発生する摩耗粉が距離情報表示部１０７aに付着する事を抑制することができる。
【００３８】
以上、本発明の好ましい実施形態について説明したが、本発明はこれらの実施形態に限定されず、その要旨の範囲内で種々の変形及び変更が可能である。
【符号の説明】
【００３９】
１００     交換レンズ
１０３     ベース筒
１０３a    開口部
１０３b    嵌合部
１０３c    バヨネット結合部
１０５     窓部材
１０７     距離情報表示部材
１０７a    距離情報表示部
１０７b    回転伝達部
１０７c    嵌合部
１０７d    バヨネット結合部
１２０     フォーカス駆動ユニット
１２０４   コロリング
１２０４a  回転伝達部
１２０５   振動体
１２０６   回転体
【図１】
2013080078.tif 000003
【図２】
2013080078.tif 000004
【図３】
2013080078.tif 000005
【図４】
2013080078.tif 000006